(57)【特許請求の範囲】
【請求項１】
遊技盤の裏側に配置され、景品球タンクと該景品球タンクの景品球を景品球放出機構へ導く誘導樋とを装着すると共に、前記誘導樋の上方には球ならし部材を支軸により揺動自在に軸支した機構板を備えてなるパチンコ機において、
前記景品球タンクに、前記支軸の先端面に沿うように位置して前記球ならし部材が前記支軸から抜け落ちるのを止める抑止片を一体かつ下向きに延設し、前記抑止片に前記支軸の上面に乗る係止部を設けたことを特徴とするパチンコ機の誘導樋における球ならし部材の取付構造。
【請求項２】
前記係止部が段部である請求項１記載のパチンコ機の誘導樋における球ならし部材の取付構造。
【発明の詳細な説明】
【０００１】
【産業上の利用分野】
本発明は、パチンコ機において景品球タンク内の球を景品球放出機構へ導くための誘導樋における球ならし部材の取付構造に関するものである。
【０００２】
【従来の技術】
従来、パチンコ機にあっては周知のように、機構板裏面の景品球タンクの下方に球通路を有する誘導樋を装着して景品球タンク内の球を景品球放出機構へ導き、入賞球の発生ごとに一定数の景品球をパチンコ機の前面に放出するようにしている。ところで、前記誘導樋の上方には、球通路の球が積み重なって流れなくなったり、外へこぼれ落ちるのを防止するために球ならし部材が設けられている。更に詳しくは、機構板の裏面であって誘導樋の上方位置に誘導樋の球通路と直向する方向で支軸を突設し、該支軸に誘導樋の球通路に対応する球ならし部材を揺動自在に取り付け、更に球ならし部材が支軸から抜け落ちないよう支軸の先端面にワッシャーを介してねじを締め付けるようにしている。
【０００３】
【発明が解決しようとする課題】
このように従来の球ならし部材の取付構造はねじ締めを必要とすることから、その取付作業が面倒であるばかりか時間が掛かり、製造コストも高くなるといった課題が有った。
そこで本発明は、上記課題を解決すべくなされたもので、ねじを使用することなく球ならし部材が取り付けられ、作業の簡略化及び製造コストの低廉を実現したパチンコ機の誘導樋における球ならし部材の取付構造を提供することを目的とする。
【０００４】
【課題を解決するための手段】
上記目的を達成するために本発明は、遊技盤の裏側に配置され、景品球タンクと該景品球タンクの景品球を景品球放出機構へ導く誘導樋とを装着すると共に、該誘導樋の上方には球ならし部材を支軸により揺動自在に軸支した機構板を備えてなるパチンコ機において、景品球タンクに、前記支軸の先端面に沿うように位置して球ならし部材が支軸から抜け落ちるのを止める抑止片を一体に延設した構成からなるものである。
【０００５】
【作用】
このように本発明に係る球ならし部材の取付構造は、景品球タンクから延設した抑止片が支軸の先端面に沿うように位置して、該支軸に軸支された球ならし部材を抜け落ちることなく支持する。
【０００６】
【実施例】
以下に本発明の一実施例を図面と共に説明する。図１は本発明が適用されるパチンコ機の裏面図であり、１は遊技盤取付枠，２は遊技盤，３は遊技盤２の裏面に回動自在に装着された機構板である。この機構板３は遊技盤２の裏面から一定間隔離れて入賞空間を形成する板状部３ａを有し、その板状部３ａの下方部に第一の入賞球集合部４及び第二の入賞球集合部５を形成している。
【０００７】
板状部３ａの裏面には、その上部に景品球タンク６が装着され、その下方に三条の球通路７ａ〜７ｃを有する誘導樋８が装着されている。
また、板状部３ａの裏面一側には第一の景品球放出機構９及び第二の景品球放出機構１０が装着されており、第一の景品球放出機構９には誘導樋８の二条の球通路７ａ，７ｂが連通され、第二の景品球放出機構１０には誘導樋８の一条の球通路７ｃが連通される。第一，第二の景品球放出機構９，１０の下方には放出された景品球をパチンコ機前面の打球供給皿（図示せず）へ導くための景品球放出樋１１が形成される。
【０００８】
さらに、機構板３には第一の入賞球集合部４に集められた入賞球を１個ずつ処理して、機外へ排出する第一の入賞球排出処理機構１２及び第二の入賞球集合部５に集められた入賞球を１個ずつ処理して機外へ排出する第二の入賞球排出処理機構１３が配設される。  そして、第一の入賞球排出処理機構１２の作動によつて第一の景品球放出機構９から所定数、例えば１３個の景品球が景品球放出樋１１に放出され、第二の入賞球排出処理機構１３の作動によつて第二の景品球放出機構１０から所定数、例えば７個の景品球が景品球放出樋１１に放出される。
【０００９】
しかして、本発明では図２及び図３に示すように機構板３裏面の誘導樋８の上方位置に支軸１４が一体に突出形成されている。この支軸１４は第一の球ならし部材１５及び第二の球ならし部材１６をそれぞれ揺動自在に軸支するものであって、基端部に段部１７を介して太径部１８が形成されている。
【００１０】
前記第一の球ならし部材１５は、誘導樋８の二条の球通路７ａ，７ｂに対応するようにその厚さが設定され、その上部に突出した腕片１９に所要の長さを持った水平軸筒２０が設けられる。該水平軸筒２０は軸孔２１が貫設されると共に、該軸孔２１に大径孔２２が連設されている。また、水平軸筒２０の左端外周に前記段部１７と同径の段部２３が形成されている。
【００１１】
また、前記第二の球ならし部材１６は、その正面形状が第一の球ならし部材１５と略同じ形状をなすもので、誘導樋８の一条の球通路７ｃに対応するようにその厚さが設定され、その上方に突出した腕片２４に所要の長さを持った水平軸筒２５が設けられている。該水平軸筒２５は軸孔２６が貫設されると共に、該軸孔２６の右端周縁に大径孔２７が連設されている。
【００１２】
図５は第一の球ならし部材１５及び第二の球ならし部材１６を支軸１４に取り付けた状態を示す。第一の球ならし部材１５は、その水平軸筒２０の軸孔２１を支軸１４に嵌合して右端の大径孔２２を段部１７に嵌合させる。第二の球ならし部材１６はその水平軸筒２５の軸孔２６を前記支軸１４に嵌合すると共に、右端の大径孔２７を段部２３に嵌合させ、それぞれ揺動自在に支持される。これによつて、第一の球ならし部材１５が誘導樋８の二条の球通路７ａ，７ｂの上方に位置し、第二の球ならし部材１６が誘導樋８の一条の球通路７ｃの上方に位置する。
【００１３】
一方、前記景品球タンク６は、その左右両側面に突出した止着片２８，２９を機構板３に設けた板状部３ａの裏面に対接させ、ビス止して所定位置に装着するようになっている。該景品球タンク６には図４に示すようにその下面６ａ一側に抑止片３０が下向きに延設されている。該抑止片３０は景品球タンク６が取着された状態で、前記支軸１４の先端面に沿うように位置している。したがって、抑止片３０によって邪魔されることにより、第一の球ならし部材１５及び第二の球ならし部材１６が支軸１４から抜け落ちることなくしっかりと保持される。
【００１４】
また、図６は他の実施例を示すものであり、前記抑止片３０の内側面に支軸１４の先端上面に乗る係止部としての段部３１を設けている。これにより貯溜される景品球によって景品球タンク６が後方へ傾こうとしても、抑止片３０が支軸１４により支えられているので、その傾きが押えられ景品球タンク６のたわみが防止される。前記係止部として段部３１を示したが、他に抑止片３０の一側面から突起を設けるようにしても良い。
【００１５】
前記実施例は、三条の球通路７ａ〜７ｃを有する誘導樋８を備えたパチンコ機について説明したが、本発明はこの実施例に限られるものでなく、例えば、二条の球通路又は一条の球通路を有する誘導樋を備えたパチンコ機も、同様に適用できるものである。
【００１６】
【発明の効果】
以上述べたように本発明は、景品球タンクに抑止片を一体に延設し、該抑止片を球ならし部材が軸支される支軸の先端面に沿うように位置させたので、これが邪魔して球ならし部材が支軸から抜け落ちることはなくしっかりと保持され、ビスを使用するこなく簡単且つ容易にその取付作業ができる。これにより、作業能率が向上し、しかも製作コストも低廉になし得る。
また、抑止片に係止部を設け、該係止部を支軸の上面に乗せるようにすれば、抑止片により景品球タンクの後方が下から支持されることとなり、景品球の球重量によって景品球タンクが傾くようなことはなく、景品球タンクのたわみを防止できる。
【図面の簡単な説明】
【図１】本発明が適用されるパチンコ機の裏面図。
【図２】機構板裏面の要部斜視図。
【図３】同上分解斜視図。
【図４】景品球タンクの裏から見た斜視図。
【図５】使用状態を示す要部の断面図。
【図６】他の実施例の同上要部断面図。
【符号の説明】
２            遊技盤
６            景品球タンク
８            誘導樋
９            第一の景品球放出機構
１０          第二の景品球放出機構
１４          支軸
１５          第一の球ならし部材
１６          第二の球ならし部材
３０          抑止片
【図１】
0003659986.tif 000002
【図２】
0003659986.tif 000003
【図３】
0003659986.tif 000004
【図４】
0003659986.tif 000005
【図５】
0003659986.tif 000006
【図６】
0003659986.tif 000007